(57)【要約】  高送信パワーを必要とする移動端末を潜在的に近隣セルを妨害するものと認識する無線通信システムが提供される。認識された移動端末に関する情報は近隣セルに送信され、その結果、この情報を利用してリソース割り当て判断を行うことが可能となる。
2010509815.tif 000002
【特許請求の範囲】
【請求項１】
無線通信システムであって：
第１の通信セルを定義し、前記第１の通信セル内に位置する移動端末（４）と通信する第１の基地局（６）と；
第２の通信セルを定義し、前記第２の通信セル内に位置する移動端末と通信する第２の基地局（８）と；
前記第２のセル内の通信リソースを割当てるリソース割当て部と；
前記第１のセル内の、通信品質が閾値レベルを下回っている移動端末（４）を検出し、前記移動端末（４）に関する情報を前記リソース割当て部へ送信する検出部（１４）と；
を備え、
前記リソース割当て部（１６）は、前記検出部（１４）から前記移動端末（４）に関する情報を受信し、受信した情報を利用して前記第２の通信セルにリソースを割当てる、無線通信システム。
【請求項２】
前記検出部（１４）は前記第１の基地局（６）に設けられる、請求項１に記載の無線通信システム。
【請求項３】
前記リソース割当て部（１６）は前記第２の基地局（８）に設けられる、請求項１に記載の無線通信システム。
【請求項４】
前記検出部（１４）は前記第１の基地局（６）に設けられ、前記リソース割当て部（１６）は前記第２の基地局（８）に設けられ、前記第１の基地局（６）は、検出された移動端末（４）に関する情報を前記第２の基地局（８）へ送信する、請求項１に記載の無線通信システム。
【請求項５】
前記リソース割当て部（１６）は、前記第１の通信セルにおいて検出された前記移動端末（４）に割当てられているリソースを避けて、前記第２のセルへ通信リソースを割り当てる、請求項１〜４のいずれか一項に記載の無線通信システム。
【請求項６】
第２のリソース割当て部（１６）は、前記第１の基地局（６）に設けられ、前記第２の通信セルにおいて割当てられているリソースを避けて前記第１の通信セルに通信リソースを割り当てる、請求項４に記載の無線通信システム。
【請求項７】
前記リソース割当て部（１６）は、検出された移動端末（４）に関する情報を参照することなく、前記第２のセルに通信リソースを割り当てる、請求項１〜６のいずれか一項に記載の無線通信システム。
【請求項８】
前記リソース割当て部（１６）は、受信した情報を利用し、周波数ホッピング技術またはベストエフォート技術のいずれかを利用して、前記第２の通信セルにリソースを割当てる、請求項１〜７のいずれか一項に記載の無線通信システム。
【請求項９】
前記第２の基地局（８）は、検出された移動端末（４）と、前記移動端末（４）を前記第２の基地局（８）に登録することなくデータ通信する、請求項１〜８のいずれか一項に記載の無線通信システム。
【請求項１０】
前記第２の基地局（８）は、前記第１の基地局（６）から、前記移動端末（４）に送信するためのデータを受信する、請求項９に記載の無線通信システム。
【請求項１１】
前記第２の基地局（８）は、前記移動端末（４）から、前記第１の基地局（６）へ送信するためのデータを受信する、請求項９または１０に記載の無線通信システム。
【請求項１２】
第１の通信セルを定義し前記第１の通信セル内の移動端末と通信する第１の基地局（６）と、第２の通信セルを定義し前記第２の通信セル内の移動端末と通信する第２の基地局（８）と、を備える無線通信システムにおける通信リソース割当て方法であって：
前記第１の通信セルにおいて通信品質が閾値レベルを下回っている移動端末（４）を検出し、
検出された移動端末（４）に関する情報を利用して前記第２の通信セルに通信リソースを割当てる、通信リソース割当て方法。
【請求項１３】
前記移動端末（４）の検出は前記第１の基地局（６）により行われる、請求項１２に記載の通信リソース割当て方法。
【請求項１４】
前記第２の通信セルへのリソースの割り当ては前記第２の基地局（８）により行われる、請求項１２に記載の通信リソース割当て方法。
【請求項１５】
前記移動端末（４）の検出は前記第１の基地局（６）により行われ、前記第２の通信セルへのリソースの割り当ては前記第２の基地局（８）により行われ、
検出された移動端末（６）に関する情報を前記第１の基地局（６）から前記第２の基地局（８）へ伝送することをさらに含む、請求項１２に記載の通信リソース割当て方法。
【請求項１６】
通信リソースの割り当ては、前記第１のセルから検出された前記移動端末（４）に割当てられているリソースを避けて前記第２のセル内の移動端末へリソースを割り当てることからなる、請求項１２〜１５のいずれか一項に記載の通信リソース割当て方法。
【請求項１７】
前記第２の通信セルにおいて割当てられているリソースを避けて、前記第１の基地局（６）を利用する前記第１の通信セルにリソースを割り当てることを含む、請求項１５に記載の通信リソース割当て方法。
【請求項１８】
通信リソースの割り当ては、検出された移動端末（４）に関する情報を参照することなく、前記第２のセル内の移動端末に通信リソースを割り当てることからなる、請求項１２〜１５のいずれか一項に記載の通信リソース割当て方法。
【請求項１９】
検出された移動端末（４）に関する情報は、前記第１のセル内での前記移動端末（４）のための通信スケジュールに関する、請求項１２〜１８のいずれか一項に記載の通信リソース割当て方法。
【請求項２０】
検出された移動端末（４）に関する情報は、Ｘ２通信インターフェースを利用して、前記第１の基地局（６）から前記第２の基地局（６）へ送信される、請求項１２〜１９のいずれか一項に記載の通信リソース割当て方法。
【請求項２１】
検出された移動端末（４）に関する情報は、前記移動端末（４）の、可能性のある前記第２の通信セルの妨害に関する情報である、請求項１２〜２０のいずれか一項に記載の通信リソース割当て方法。
【請求項２２】
前記第２の通信セルへの受信した情報に基づくリソースの割り当ては、周波数ホッピング技術またはベストエフォート技術のいずれかを利用する、請求項１２〜２１のいずれか一項に記載の通信リソース割当て方法。
【請求項２３】
前記第２の基地局（８）により検出された移動端末（４）と、前記移動端末（４）を前記第２の基地局（８）に登録することなくデータ通信することをさらに含む、請求項１２〜２２のいずれか一項に記載の通信リソース割当て方法。
【請求項２４】
前記第２の基地局（８）が前記移動端末（４）に送信するためのデータを前記第１の基地局（６）から受信することを含む、請求項２３に記載の通信リソース割当て方法。
【請求項２５】
前記第２の基地局（８）が、前記第１の基地局（６）へ送信するためのデータを前記移動端末（４）から受信することを含む、請求項２３または２４に記載の通信リソース割当て方法。
【請求項２６】
通信セルを定義し、前記通信セル内の移動端末と通信する、無線通信システムにおいて利用される基地局であって：
前記通信セル内の、通信品質が閾値レベルを下回っている移動端末（４）を検出し、検出された移動端末（４）に関する情報を他の基地局へ送信する検出部（１４）を備える、基地局。
【請求項２７】
通信セルを定義し、前記通信セル内の移動端末と通信する、無線通信システムにおいて利用される基地局であって：
他の通信セルで動作する移動端末（４）に関する情報を受信し、受信した情報を利用して前記通信セルにおいてリソースの割当てを行うリソース割当て部（１６）を備える、基地局。
【請求項２８】
前記通信セル内の、通信品質が閾値レベルを下回っている移動端末（４）を検出し、検出された移動端末（４）に関する情報を他の基地局へ送信する検出部（１４）を備える、請求項２８に記載の基地局。
【請求項２９】
前記リソース割当て部（１６）は、前記他の通信セルから検出された前記移動端末（４）に割当てられているリソースを避けて前記通信セルにおいて通信リソースを割り当てる、請求項２７または２８に記載の基地局。
【請求項３０】
前記リソース割当て部（１６）は、受信した情報を利用して、前記第２の通信セルに前記周波数ホッピング技術またはベストエフォート技術のいずれかを利用してリソースを割り当てる、請求項２７〜２９のいずれか一項に記載の基地局。
【請求項３１】
検出された移動端末（４）と、移動端末（４）が前記第２の基地局（８）に登録することなくデータ通信する、請求項２７〜３０のいずれか一項に記載の基地局。
【請求項３２】
前記移動端末（４）に送信するためのデータを前記第１の基地局から受信する、請求項３１に記載の基地局。
【請求項３３】
前記第１の基地局に送信するためのデータを前記移動端末（４）から受信する、請求項３１または３２に記載の基地局。
【請求項３４】
請求項２６に記載された第１の基地局（６）、請求項２７〜３３のいずれか一項に記載された第２の基地局（８）、および前記第１および第２の基地局（６、８）間の情報通信のためのインターフェースと、を備える、無線通信システム。
【請求項３５】
請求項１２〜２５のいずれか一項に記載の方法に従う、請求項３４に記載の無線通信システム。
【発明の詳細な説明】
【技術分野】
【０００１】
本発明は、無線通信システムに関し、特に、無線通信システムにおけるリソースの割り当てに関する。
【背景技術】
【０００２】
無線通信システムは、典型的に、複数の基地局が各々の通信セルを定義し、それらのセル内の移動端末が対応する基地局と通信する携帯電話構造を有する。基地局は、セル内の各移動端末に、移動端末と基地局との通信を可能とするために通信リソース（典型的には、時間―周波数ブロック）を割り当てる。
【０００３】
移動端末がセル内を移動するにつれ、移動端末が置かれる無線状況は変化する。セルのエッジ領域のようないくつかの場所においては、移動端末と基地局の間でデータが正常に送信されるために、強い送信電力が必要となる。
【０００４】
しかし、移動端末がセル境界に近づくにつれ、強い送信電力は、移動端末に近隣セルにおける通信を妨害させかねない。さらに、または、移動端末からの通信は、近隣セル内の通信により妨害されかねない。
【０００５】
加えて、ある基地局から他の基地局へのハンドオーバーは、移動端末に移動先のセルにおける非同期ランダムアクセスを強いるであろう。ランダムアクセスは、ハンドオーバー中断時間を増大させる。
【０００６】
さらに、静的分散（例えば、１／３）再利用スキームが利用されていても、部分負荷スキームが利用されていても、セル境界の移動端末の周波数を計画することは困難であった。一方、双方のスキームは最適なパフォーマンスを得ることができる。
【０００７】
そこで、近隣セルを妨害する移動端末の影響を抑制することが可能な技術を提供することが望まれる。
【発明の概要】
【０００８】
本発明のある観点によれば、第１の通信セルを定義し、前記第１の通信セル内に位置する移動端末と通信する第１の基地局、第２の通信セルを定義し、前記第２の通信セル内に位置する移動端末と通信する第２の基地局と、前記第２のセル内の通信リソースを割当てるリソース割当て部と、前記第１のセル内の、通信品質が閾値レベルを下回っている移動端末を検出し、前記移動端末に関する情報を前記リソース割当て部へ送信する検出部と、を備え、前記リソース割当て部は、前記検出部から前記移動端末に関する情報を受信し、受信した情報を利用して前記第２の通信セルにリソースを割当てる、無線通信システムが提供される。
【０００９】
前記検出部は前記第１の基地局に設けられ、前記リソース割当て部は前記第２の基地局に設けられてもよい。また、前記第１の基地局は、検出された移動端末に関する情報を前記第２の基地局へ送信してもよい。
【００１０】
前記リソース割当て部は、前記第１の通信セルにおいて検出された前記移動端末に割当てられているリソースを避けて、前記第２のセルへ通信リソースを割り当ててもよい。
【００１１】
第２のリソース割当て部は、前記第１の基地局に設けられ、前記第２の通信セルにおいて割当てられているリソースを避けて前記第１の通信セルに通信リソースを割り当ててもよい。
【００１２】
前記リソース割当て部は、検出された移動端末に関する情報を参照することなく、前記第２のセルに通信リソースを割り当ててもよい。
【００１３】
前記リソース割当て部は、受信した情報を利用し、周波数ホッピング技術またはベストエフォート技術のいずれかを利用して、前記第２の通信セルにリソースを割当てる、請求項１〜７のいずれか一項に記載の無線通信システム。
【００１４】
本発明のある観点によれば、第１の通信セルを定義し前記第１の通信セル内の移動端末と通信する第１の基地局と、第２の通信セルを定義し前記第２の通信セル内の移動端末と通信する第２の基地局と、を備える無線通信システムにおける通信リソース割当て方法であって、前記第１の通信セルにおいて通信品質が閾値レベルを下回っている移動端末を検出し、検出された移動端末に関する情報を利用して前記第２の通信セルに通信リソースを割当てる通信リソース割当て方法が提供される。
【００１５】
前記移動端末の検出は前記第１の基地局により行われてもよい。前記第２の通信セルへのリソースの割り当ては前記第２の基地局により行われてもよい。この方法は、検出された移動端末に関する情報を前記第１の基地局から前記第２の基地局へ伝送することをさらに含んでもよい。
【００１６】
通信リソースの割り当ては、前記第１のセルから検出された前記移動端末に割当てられているリソースを避けて前記第２のセル内の移動端末へリソースを割り当てることからなってもよい。
【００１７】
通信リソースの割り当ては、前記第１の基地局を利用し、前記第２の通信セルにおいて割当てられているリソースを避けてもよい。
【００１８】
通信リソースの割り当ては、検出された移動端末に関する情報を参照することなく、前記第２のセル内の移動端末に通信リソースを割り当てることからなってもよい。
【００１９】
検出された移動端末に関する情報は、前記第１のセル内での前記移動端末のための通信スケジュールに関する情報であってもよい。
【００２０】
検出された移動端末に関する情報は、Ｘ２通信インターフェースを利用して、前記第１の基地局から前記第２の基地局へ送信されてもよい。
【００２１】
検出された移動端末に関する情報は、前記移動端末の、可能性のある前記第２の通信セルの妨害に関する情報であってもよい。
【００２２】
本発明の別の観点によれば、通信セルを定義し、前記通信セル内の移動端末と通信する、無線通信システムにおいて利用され、他の通信セルで動作する移動端末（４）に関する情報を受信し、受信した情報を利用して前記通信セルにおいてリソースの割当てを行うリソース割当て部を備える基地局が提供される。
【００２３】
この基地局は、前記通信セル内の、通信品質が閾値レベルを下回っている移動端末を検出し、検出された移動端末に関する情報を他の基地局へ送信する検出部を備えてもよい。
【００２４】
前記リソース割当て部は、前記他の通信セルから検出された前記移動端末に割当てられているリソースを避けて前記通信セルにおいて通信リソースを割り当ててもよい。
【００２５】
本発明の別の観点によれば、通信セルを定義し、前記通信セル内の移動端末と通信する、無線通信システムにおいて利用され、前記通信セル内の、通信品質が閾値レベルを下回っている移動端末を検出し、検出された移動端末に関する情報を他の基地局へ送信する検出部を備える基地局が提供される。
【００２６】
無線状況が低品質である、および／または、送信電力が強い移動端末は、基地局に近い移動端末となにかしら異なる処理を受ける。
【００２７】
本発明の実施形態によれば、以下の効果が得られる。
・１／３または類似の再利用のためのセル端部の予約周波数プールは必要でない。セル端部ブロックは、負荷に応じて用意および解放される。
・第２の基地局は、対応するリソースブロックの利用を避けて予約を受け付けるか、負荷が大きい場合、それを拒否するかを選択できる。
・シグナリングはサービス品質（Ｑｏｓ）などを含むため、単なる日和見的なアプローチに比べ、第２のダーゲット基地局の処理の良好な制御が可能である。
・移動端末はまた、第２の基地局へのさらなるハンドオーバーの上位候補である。第２の基地局は、同期したハンドオーバーを可能とするために移動端末を測定する機会を得てもよい。
【図面の簡単な説明】
【００２８】
【図１】無線通信システムを示す概要図である。
【図２】本発明の１の観点を具現する基地局を示すブロック図である。
【図３】本発明の多くの観点を具現する方法におけるステップを示すフローチャートである。
【図４】本発明の多くの観点を具現する方法におけるステップを示すフローチャートである。
【図５】本発明の多くの観点を具現する方法におけるステップを示すフローチャートである。
【図６】無線通信システムにおけるリソースの割り当てを示す。
【図７】無線通信システムにおけるリソースの割り当てを示す。
【図８】無線通信システムにおけるリソースの割り当てを示す。
【図９】無線通信システムにおけるリソースの割り当てを示す。
【図１０】無線通信システムにおけるリソースの割り当てを示す。
【発明を実施するための形態】
【００２９】
図１は、本発明の１の観点に従って動作可能な無線通信システム１の概要図である。図１の上記システム１は、コアネットワーク（ＣＮ）リソース２、第１の基地局６、および第２の基地局を含む。第１の基地局６は、移動端末との通信が第１の基地局６により制御される第１の通信セルを定義する。同様に、第２の基地局８は、移動端末との通信が第２の基地局８により制御される第２の通信セルを定義する。図１には、例示的な移動端末（またはユーザイクイップメントＵＥ）４が示されている。各基地局は、よく知られ理解されているように、信号リンクＳ１１およびＳ１２を利用してコアネットワークリソース２と呼ルーティングや他の役割のための通信を行うことができる。さらに、第１および第２の基地局６および８は、通信経路（またはインターフェース）Ｘ２を利用して相互に通信することができる。
【００３０】
図１の上記システムは簡略化されており、実際には、システムは各々が通信セルを定義する多くの基地局を有することは容易に理解されたい。このようなシステムは、多くの移動端末に通信を提供することができる。
【００３１】
上述したように、移動端末４は信号基地局といつでも通信し、移動端末がシステムでカバーされる領域内を移動すると、移動端末はセル境界を横切り、通信は次の基地局へ切り替えられる必要がある。このプロセスはハンドオーバーとして知られている。
【００３２】
以下の説明においては、移動端末４が第１の基地局６により定義される通信セルの外側境界に位置しており、そのため、移動端末４との通信は比較的低いと仮定する。移動端末４は、正常な送信を可能とするために高出力パワーを必要とする、「悪い」無線環境下にあると考えられる。しかし、この高出力パワーは、移動端末４が近隣セル、例えば第２の基地局８により定義される第２のセルにおける通信を干渉または妨害しやすいということを意味する。追加的に、または、移動端末４は、第２のセルにおける通信により、第１の基地局との通信が妨害され得る。
【００３３】
本発明の実施形態は、これらの妨害を抑制することを意図している。
【００３４】
本発明の１の観点を具現する基地局の構成を、図２を参照して説明する。通常、無線通信システムにおいて、各基地局は次のように実質的に同一である。したがって、図２に示した基地局の説明は、図１の第１および第２の基地局の双方に適合する。図２の基地局は、基地局の動作全般を制御する制御部１０を含む。制御部１０は、コアネットワークリソースと通信することが可能である。また、基地局は、アンテナ１８を介して既知の方法により移動端末と通信する無線周波数（ＲＦ）送信（Ｔｘ）／受信（Ｒｘ）部１２を含む。
【００３５】
本発明の実施形態においては、基地局は検出部１４およびリソース割当て部１６を含む。検出部１４およびリソース割当て部が制御部１０または他の適切な手段により動作可能であることは容易に理解されたい。制御部１０は、インターフェース接続Ｘ２（２０）を利用して他の基地局と通信することができる。
【００３６】
ここで、図２の基地局の動作を、図１および２、および図３、４および５のフローチャートを参照して説明する。
【００３７】
図３は、第１の無線基地局６において実行されるプロセスを示したフローチャートである。ステップ１０１および１０３において、検出部１４は、第１のセル内の移動端末との通信を検出し、ダウンリンク通信（移動端末から基地局への通信）品質を判断することにより、それらの通信の品質程度を判断する。これは、第１のセルにおいて無線状況が悪い移動端末から報告されているダウンリンク（ＤＬ）測定結果を解釈することにより実現される。このＤＬ無線状況は、再送信の回数から知ることができる。この再送信は、正常な送信の達成のために、データと共にこれらの再送信のために利用される出力パワーが要求されるものである。この情報は第１の基地局により知ることができる。また、ＤＬ無線状況は、基地局へ報告された移動端末品質測定結果から得ることもできる。アップリンク（ＵＬ）無線状況の判断は多様な方法により実現される。例えば、ＤＬ無線状況が、第１の基地局へのＵＬ状況の正しい実態を与えることが考えられる。または、第１の無線基地局６は、基地局が正常にデータを受信するために移動端末４により必要とされた送信回数を検出することもできる。この情報は、移動端末へ指示されたパワーレベル、および第１の基地局の品質測定結果と組み合せられてもよい。このようにして、特定の移動端末のための、セルにおいて期待されるインターフェースの寄与が得られる。その結果、移動端末４が近隣セルを妨害するか否かを判断することが可能となる。
【００３８】
ステップ１０５において、品質程度が閾値を下回るか否かが判断される。すなわち、移動端末との通信が十分に品質の高いものであるか否かが判断される。もしそうであれば、検出部はステップ１０１に戻り、検出部は他の移動端末を検出する。
【００３９】
もし、要求される品質に通信が達していない場合、例えば、移動端末が第１のセルの端部に位置して高出力パワーを要求するときには、候補リストの一部として移動端末の詳細が記憶される。この候補リストは、１または２以上の近隣セルを妨害する、または妨害され得る移動端末を示す。本例においては、移動端末４が第２のセルとの境界である第１のセルの端部に位置すると仮定しているので、移動端末４および第２のセルの間で妨害は発生しやすい。
【００４０】
本発明の実際の実施形態においては、各セルにおいて多くの移動端末が通信するため、この候補リストは多くの移動端末を含むであろう。
【００４１】
候補リスト上の各移動端末のために、ステップ１０７において、制御部１０は移動端末から近隣セルの測定結果を得る。このような測定結果は、近隣セルからのパイロットチャネル信号を測定することにより得られる。この測定結果は、移動端末により、好ましくはＲＲＣメッセージ形式で基地局へ返送される。この情報から、セル妨害レベル（移動端末へのおよび移動端末による）が決定される（ステップ１０９）。
【００４２】
そして、妨害されそう、または妨害しそうなセル（いわゆる、ターゲットセル）がセルリストに追加される（ステップ１１１）。セルリストは、確認されている移動端末の各々に対して生成される。
【００４３】
続いて、制御部１０は、移動端末に関連するセルリスト上のターゲットセルのための適切な基地局へ、妨害するまたは妨害される移動端末に関する情報を送信する。記載された例においては、移動端末４の詳細は、第１の基地局６により第２の基地局８へインターフェースＸ２を介して送られる。
【００４４】
図５は、ターゲットセルの基地局において行われるプロセスを示したフローチャートである。簡潔化の目的のために、１の移動端末４のための第２の基地局８における１の動作を説明する。このようなプロセスが多くの移動端末やセルにおいて必要に応じて行われることは容易に理解されたい。
【００４５】
ステップ１１５では、第２の基地局８が第１の基地局６から移動端末４に関する情報を受信する。この情報は、好ましくは、少なくとも移動端末４のためのスケジュールおよびリソース割当て情報を含む。ステップ１１７では、第２の基地局のリソース割当て部１６が、移動端末４が第２の通信セルを妨害するか否かを確認するために、移動端末４のためのスケジューリング情報を評価する。この評価の詳細については後述する。そして、リソース割当て部１６は、受信した情報を利用して、第２のセルのためのリソースの割り当てを行う（ステップ１１９）。
【００４６】
仮に、実際には移動端末４がこのセルを妨害しない、またはこのセルにより妨害されないと判断される場合、受信された情報は破棄され、第２のセルへのリソースの割り当てはそれを参照することなく行われる。
【００４７】
一方、移動端末４が第２のセルに妨害されるまたは第２のセルを妨害すると判断される場合、第２のセルのためのリソース割当てにはいくつかの選択肢が存在する。
【００４８】
例えば、リソース割当て部１６は、妨害が発生する時間／周波数期間を利用する移動端末のいずれかのスケジューリングを終了する。これは、移動端末を、妨害する／妨害される移動端末４の時間／周波数期間と異なる時間／周波数期間に再スケジュールすることにより可能である。
【００４９】
他の方法は、第２の基地局が、妨害時間／周波数期間においては無線状況が良好な移動端末にのみスケジュールすることである。良好な無線状況は低送信パワーが利用されていることを示しているため、これにより、干渉が抑制され、妨害が発生する可能性も抑制される。
【００５０】
また、第２の基地局８は、新たなユーザを妨害時間／周波数期間を避けてスケジューリングする手段をとることにより、さらなる妨害の可能性を抑制してもよい。
【００５１】
このアプローチは、スケジューリングが少なくとも数１０ｍｓ先にわたって確定的であることが必要となる。確定的割り当ては、全ての影響する基地局に意図されたスケジュールをその発生の前に確実に認識させるために、かなりのレイテンシ（１０〜１００ｍｓ）が要求される。
【００５２】
レイテンシの影響は、送信状況に応じて異なって対処される。
【００５３】
・ベストエフォート
ベストエフォートデータはレイテンシの影響を受けにくい。リソース割り当て決定は、数ｍｓ先だって行われてもよい。
・音声／映像電話
音声／映像コーデックは、非常に予見的であり、リソース割り当ては長期間に対して行われ、すなわち移動端末は、Ｘの基礎リソースブロックを２０ｍｓ間隔で、特定の周波数ホッピングスキームに従って割り当てられる。初めてスケジュールされた１または２以上の通信は他の基地局に知られていないが、他の基地局は一度スキームを受信すれば影響を抑制することができる。
・サービス品質（ＱｏＳ）非予見的サービス
これは、未知であるが高いＱｏＳが必要とされているサービスである。送信されるデータ量は小さくないと考えられる。このような通信は、各基地局が高干渉移動端末にバンド幅（または時間領域）の一部を予約することにより行われる。ある技術においては、これはバンド幅の静的な一部であり、「セル中心における１の再利用＞セル境界における１の再利用」を意味する。本発明の本質に従うと、この予約される領域を、実際のセルにおける必要に応じて増加または減少させることができる。ＱｏＳ非予見的サービスが開始されると、想定される対応バンド幅が「予約」され、近隣セルへ伝達される。これは、バンド幅の一部を予約することによっても、あるバンド幅の周波数ホッピングスキームを予約することによっても行うことができる。
【００５４】
ここで、本発明の１観点によるリソース割り当てを説明するために、図６〜図１０を説明する。これらの図において、グリッドは例示的な基礎リソースブロックを表し、水平軸はブロックの継続時間を示し、水平軸はブロックの周波数幅を示す。各移動端末は、通信のために割り当てられた１または２以上の連続的なブロックを有する。
【００５５】
図６は、基地局６による移動端末４へのリソースブロックの割り当て例を示す。図６中のブロックＡは、移動端末４に割り当てられているブロックを示している。
【００５６】
上述したように、第２のセルが移動端末４により第２のセルが妨害される、または移動端末４を妨害すると第１の基地局が判断した場合、第１の基地局は移動端末４への割り当てが意図されているリソースに関する情報を送信する。
【００５７】
図７は、第２のセルにおいて第２の基地局により割り当てが意図されているリソース例を示す。図７から分かるように、移動端末Ｂ、Ｃ、Ｄ、Ｅ、ＦおよびＧが第２のセルにおいてリソースを割り当てられている。
【００５８】
図８は、移動端末４へ意図された割り当て（ブロックＡで示される）がどのように第２のセルに既存の移動端末へ意図された割り当てと衝突するかを示している。移動端末４が第２のセルに既存の移動端末の少なくともいずれかの通信を妨害すると第２の基地局８が判断すると考えられるため、第２の基地局は妨害を避けるためにリソースの再割り当てを行うだろう。
【００５９】
図９は、第２のセルの可能性のある再割り当てスキームを示している。ここでは、既存の移動端末および移動端末４に割り当てられたリソースが互いに重ならないように、または相互に妨害しないように配される。
【００６０】
第２の基地局８は、第２のセルにおける既存の移動端末との好適な通信を確保するために自身のリソースを再割り当てする。さらに、第２の基地局８は、移動端末４により起こり得る妨害の量を判断するために、少なくとも、移動端末４からの信号のエンベロープを検出することができる。通常、第２の基地局８は移動端末４からの信号を復号できないため、信号エンベロープの測定のみが可能である。しかし、ある変形例においては、第２の基地局８は移動端末４からの通信を復号することができ、そのため、タイミング（理想からのオフセット）、信号品質（例えば、信号対雑音比）、および／または信号強度を測定することができる。
【００６１】
第２の基地局８が第２の通信セルにおいてリソースを再割り当てすることに加えて、第１の基地局も移動端末４のために集められた情報を利用して第１のセルのリソースを再割り当てすることができる。第１および第２の通信セルにおけるリソースの再割り当ては、これらのセルのキャパシティの最適化に資することができる。
【００６２】
第１および／または第２の通信セルにリソースを割り当てる際、周波数ダイバーシティを得るために周波数ホッピング技術を利用することができる。周波数ホッピングスキームは、長期間のリソース割り当てに特に適切である。
【００６３】
妨害するまたは妨害される移動端末が時間領域において第２のセルと同期しないように、周波数領域よりも、時間領域で連続するリソースブロックを移動端末にスケジュールすることが好ましい。このような割り当てを図１０に示す。割り当てＢは周波数領域において連続的であるため、この割り当てが時間領域において多くのブロックを妨害することが分かる。一方、割り当てＣが時間領域において妨害するのは２のブロックだけである。
【００６４】
各基地局は、ホッピングシーケンスのリソースブロックの「バッファ」を保持することができる。これは、静的な構成に類似するが、割り当てられるバンド幅（ＢＷ）は小さな値に設定される。これは、相当な部分を割り当てず、移動中の移動端末が「保護」されたバンド幅を速く、インターフェースＸ２上での要求を少なく得られるようにするためである。この「バッファ」は、バンド幅の無駄を最小化し、信号品質が悪い新たな移動端末のために小さなマージンを保持するために、時々刻々と更新される。バッファの更新は、可能性のあるターゲットセルによる事前測定のタイミングを考慮するために、最新のシーケンスの処理を含んでもよい。
【００６５】
一例として、第２の基地局８は、通信インターフェースＸ２を介し、移動端末４に関して得られた測定結果を第１の基地局６へ報告することができる。例えば、第２の通信セルが移動端末４により重く妨害された場合、第２の基地局８は移動端末の第１の基地局６から第２の基地局８へのハンドオーバーを提案することができる。または、第１の基地局６は、移動端末４に割り当てられえいるデータレート下げ、要求される送信パワーを抑制し、第２のセルへの可能性のある妨害を抑制することができるだろう。
【００６６】
他の可能性として、第２の基地局８は、第１の基地局６から通信インターフェースＸ２を介して第２の基地局８へ供給されたデータを、移動端末４に送信する。このようなデータ送信はダウンリンクのマクロダイバーシティをもたらす。第１の基地局６は、送信するペイロードデータと、利用されるチャンネルコーディング、変調、およびスクランブリングを提供する。第２の基地局８は、そのチャンネルコーディング、変調、およびスクランブリングに従ってデータを出力する。移動端末４は、同じ信号を第１および第２の基地局の双方から受信するだろう。しかし、スケジューリング制御および再送信制御は第１の基地局６からのみ送信される。アップリンクのマクロダイバーシティは、第２の基地局８が、移動端末４から受信したデータを第１の基地局６へ送ることにより実現される。第１の基地局６の受信機が受信したデータが移動端末４のアップリンク情報を正常に復号するために不十分である場合、第１の基地局６は、第２の基地局８から送られたデータを利用することができる。受信確認または再送信要求は、第１の基地局６により、１または複数の受信データに基づいて移動端末４へ送信される。ここに記載したアップリンクのマクロダイバーシティの欠点は、第１および第２の基地局間の通信経路により課される追加的な遅延である。この遅延は、第２の基地局８からデータが受信され、第１の基地局６で利用準備ができ、受信確認または再送信要求が移動端末４へ送信されるまで、合計で数１００マイクロ秒の追加的な遅延になる。この追加的な遅延は、システムを重度に劣化させないだろう。
【００６７】
アップリンクおよびダウンリンクの双方のマクロダイバーシティは、各基地局と端末間のパス遅延の相違が、端末および基地局の各々の受信機に補えることが要求される範囲内であるくらい基地局間の距離が短い場合に、最適に機能する。例えば、２ｋｍの基地局間距離は容易に対処される。それより長い距離の場合、移動端末４との第２の基地局８の通信は、第２の基地局により制御されるセル内の移動端末と異なるタイミング（早め、または遅め）を有する。
【図１】
2010509815.tif 000003
【図２】
2010509815.tif 000004
【図３】
2010509815.tif 000005
【図４】
2010509815.tif 000006
【図５】
2010509815.tif 000007
【図６】
2010509815.tif 000008
【図７】
2010509815.tif 000009
【図８】
2010509815.tif 000010
【図９】
2010509815.tif 000011
【図１０】
2010509815.tif 000012
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
少なくとも１の第２の基地局が対応する２以上の近隣セルを有する第１のセルのために動作する第１の基地局に適合する方法であって：
少なくとも１の移動端末から１または２以上の近隣セルに対する測定結果報告を受信し（１０７）；
前記測定結果報告に基づき、報告された１または２以上のセルが前記移動端末により妨害されるか、または前記移動端末を妨害するかを判断し（１０９）；
少なくとも１０ｍｓ前に前記第１のセルの前記移動端末との通信にリソースをスケージュールし；
前記移動端末にスケジュールされたリソースを、妨害すると判断されたセルのために動作する１または２以上の第２の基地局に通知することを含む、方法。
【請求項２】
前記第１のセルおよび前記２以上の近隣セルには、各々のセルにより動作する移動端末にスケジュールするための、少なくとも部分的に重複する周波数領域が割り当てられている、請求項１に記載の方法。
【請求項３】
前記移動端末にスケジュールされるリソースは、時間周波数領域におけるリソースブロックである、請求項１または２に記載の方法。
【請求項４】
前記移動端末にスケジュールされるリソースは、周波数ホッピングパターンである、請求項１または２に記載の方法。
【請求項５】
第１の基地局に対応する第１のセルが近隣セルである第２のセルにおいて移動端末との通信のために動作する第２の基地局に適合する方法であって；
前記第２のセル内の前記移動端末の間で通信リソースをスケジュールすることを含み、
さらに、
前記第２のセルにおける通信を妨害する、または妨害されると判断された第１の移動端末に前記第１のセルにおいてスケジュールされたリソースの情報を、前記第１の基地局から受信し；
前記第２のセルにおいて、前記第１のセルにおいて前記第１の移動端末にスケジュールされているリソースを避けてスケジュールすることを含む、方法。
【請求項６】
前記第１の移動端末が前記第２のセルを妨害するか否かを評価するステップを含み、前記第１の移動端末が妨害すると前記第２の基地局が評価した場合に前記避けるステップに進む、請求項５に記載の方法。
【請求項７】
前記第２および前記第１のセルには、各々のセルにより動作する移動端末にスケジュールするための、少なくとも部分的に重複する周波数領域が割り当てられている、請求項５に記載の方法。
【請求項８】
無線通信システムにおいて利用され、少なくとも第１のセルの移動端末との通信を支援するために配置される基地局であって：
１または２以上の第２の基地局と通信し、前記第１のセルの近隣セルである１または２以上の第２のセルにおける通信に資するインターフェース（Ｘ２）と；
１または２以上の第２のセルが前記第１のセル内で動作する第１の移動端末（４）により妨害されるまたは妨害することを検出する検出部（１４）と；
少なくとも１０ｍｓ前に前記第１のセルの前記移動端末との通信にリソースをスケージュールするリソース割当て部（１６）と；
前記基地局の動作を制御し、前記第１の移動端末にスケジュールされたリソースの情報を、妨害されると判断された１または２以上の前記第２のセルのために動作する前記第２の基地局へ送信するために設けられた制御部と；
を備える、基地局。
【請求項９】
無線通信システムにおいて利用され、少なくとも第２のセルの移動端末との通信を支援するために配置される基地局であって：
前記第２のセルの近隣セルである第１のセルにおける通信に資する少なくとも１の第１の基地局と通信するためのインターフェースと；
前記第２のセル内の移動端末の間でリソースをスケジュールするリソース割当て部（１６）と；
を備え、
前記第１の基地局から受信される、第２のセルを妨害するまたは妨害されると予想される移動端末にスケジュールされているブロックリソースの情報に応じ、前記リソース割当て部は、前記第２のセルにおいて前記ブロックリソースのスケジュールを避ける、基地局。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
少なくとも１の第２の基地局が対応する２以上の近隣セルを有する第１のセルのために動作する第１の基地局（６）により行われる方法であって：
少なくとも１の移動端末から１または２以上の近隣セルに対する測定結果報告を受信し（１０７）；
前記測定結果報告に基づき、報告された１または２以上のセルが前記移動端末により妨害されるか、または前記移動端末を妨害するかを判断し（１０９）；
前記第１のセルの前記移動端末との通信にリソースをスケージュールし；
前記移動端末にスケジュールされたリソースを、妨害すると判断されたセルのために動作する１または２以上の第２の基地局に通知することを含む、方法。
【請求項２】
前記第１のセルおよび前記２以上の近隣セルには、各々のセルにより動作する移動端末にスケジュールするための、少なくとも部分的に重複する周波数領域が割り当てられている、請求項１に記載の方法。
【請求項３】
前記移動端末にスケジュールされるリソースは、時間周波数領域におけるリソースブロックである、請求項１または２に記載の方法。
【請求項４】
前記移動端末にスケジュールされるリソースは、周波数ホッピングパターンである、請求項１、２または３に記載の方法。
【請求項５】
前記１または２以上の第２の基地局が前記移動端末にユーザデータを送信するために、妨害されると判断された前記１または２以上の第２の基地局にユーザデータを送信することをさらに含む、請求項１、２または３に記載の方法。
【請求項６】
前記第１の移動端末から生じたユーザデータを前記第２の基地局から受信することをさらに含む、請求項１、２、３または５のいずれか一項に記載の方法。
【請求項７】
第１の基地局（６）が対応する第１のセルが近隣セルである第２のセルにおいて移動端末との通信のために動作する第２の基地局（８）により行われる方法であって；
前記第２のセル内の前記移動端末（４）の間で通信リソースをスケジュールすることを含み、
さらに、
前記第２のセルにおける通信を妨害する、または妨害されると判断された第１の移動端末に前記第１のセルにおいてスケジュールされたリソースの情報を、前記第１の基地局から受信し；
少なくとも１または２以上のセル端部の移動端末に、前記第２のセルにおいて、前記第１のセルで前記第１の移動端末にスケジュールされているリソースをスケジュールすることを避けることを含む、方法。
【請求項８】
前記第１の移動端末が前記第２のセルを妨害するか否かを判断するステップを含み、前記第１の移動端末が妨害すると前記第２の基地局が評価した場合に前記避けるステップに進む、請求項７に記載の方法。
【請求項９】
前記第２および前記第１のセルには、各々のセルにより動作する移動端末にスケジュールするための、少なくとも部分的に重複する周波数領域が割り当てられている、請求項７に記載の方法。
【請求項１０】
前記第２の基地局（８）は、前記第１の移動端末を第２の基地局（８）に登録することなく、前記第１の移動端末（４）と通信することができる、請求項７または９に記載の方法。
【請求項１１】
前記第２の基地局（８）は、前記第１の基地局（６）から、前記第１の移動端末（４）に送信するためのデータを受信することができる、請求項７または１０に記載の方法。
【請求項１２】
前記第２の基地局（８）は、前記第１の移動端末（４）から、前記第１の基地局（６）へ送信するためのデータを受信することができる、請求項７または１１に記載の方法。
【請求項１３】
前記１または２以上の移動端末がセル端部に位置しているか否かの判断は、前記第２のセルの移動端末の各々との通信に用いられている送信パワーに基づいて行われる、請求項７に記載の方法。
【請求項１４】
無線通信システムにおいて利用され、少なくとも第１のセルの移動端末との通信を支援するために配置される基地局であって：
１または２以上の第２の基地局と通信し、前記第１のセルの近隣セルである１または２以上の第２のセルにおける通信に資するインターフェース（Ｘ２）と；
１または２以上の第２のセルが前記第１のセル内で動作する第１の移動端末（４）により妨害されるまたは妨害することを検出する検出部（１４）と；
前記第１のセルの前記移動端末との通信にリソースをスケージュールするリソース割当て部（１６）と；
前記基地局の動作を制御し、前記第１の移動端末にスケジュールされたリソースの情報を、妨害されると判断された１または２以上の前記第２のセルのために動作する前記第２の基地局へ送信するために設けられた制御部と；
を備える、基地局。
【請求項１５】
前記第１および第２のセルにおいて共通して用いられる周波数帯域で動作する、請求項１４に記載の基地局。
【請求項１６】
前記リソース割当て部は、時間周波数領域におけるリソースブロック形式でリソースをスケジュールする、請求項１４または１５に記載の基地局。
【請求項１７】
前記１または２以上の第２の基地局が前記移動端末にユーザデータを送信可能とするために、妨害されると判断された前記１または２以上の第２の基地局（８）にユーザデータを前記インターフェースを介して送信する、請求項１４、１５または１６に記載の基地局。
【請求項１８】
前記第１の移動端末から生じたユーザデータを前記第２の基地局から前記インターフェースを介して受信する、請求項１４、１５、１６または１７に記載の基地局。
【請求項１９】
無線通信システムにおいて利用され、少なくとも第２のセルの移動端末との通信を支援するために配置される基地局（８）であって：
前記第２のセルの近隣セルである第１のセルにおける通信に資する少なくとも１の第１の基地局と通信するためのインターフェースと；
前記第２のセル内の移動端末の間でリソースをスケジュールするリソース割当て部（１６）と；
を備え、
前記第１の基地局から受信される、第２のセルを妨害するまたは妨害されると予想される第１のセルの移動端末にスケジュールされているブロックリソースの情報に応じ、前記リソース割当て部は、前記第２のセルにおいて、セル端部に位置すると想定される少なくとも１または２以上の移動端末への前記ブロックリソースのスケジュールを避ける、基地局。
【請求項２０】
前記第１および第２のセルにおいて共通して用いられる周波数帯域で動作する、請求項１９に記載の基地局。
【請求項２１】
前記ブロックリソースは、時間周波数領域におけるブロックである、請求項１９または２０に記載の基地局。
【請求項２２】
前記第１の移動端末が前記第２の基地局（８）に登録されることなく、前記第１の移動端末（４）と通信する、請求項１９または２０に記載の基地局。
【請求項２３】
前記第１の基地局（６）から、前記第１の移動端末（４）に送信するためのデータを受信する、請求項１９、２０または２２に記載の基地局。
【請求項２４】
前記第１の移動端末（４）から、前記第１の基地局（６）へ送信するためのデータを受信する、請求項１９、２０、２２または２３に記載の基地局。
【請求項２５】
前記１または２以上の移動端末がセル端部に位置しているか否かの判断を、前記第２のセルの移動端末の各々との通信に用いられている送信パワーに基づいて行う、請求項１９に記載の基地局。
【国際調査報告】
2010509815.tif 000013
2010509815.tif 000014